(57)【要約】      （修正有）【課題】無線通信システムにおけるアップリンク送信を処理するための方法及び装置を提供する。【解決手段】ユーザ装置（ＵＥ）は第１のサービングセルを制御する第１の基地局と第２のサービングセルを制御する第２の基地局とを含む少なくとも２つの基地局に接続する。この方法は更に、前記ユーザ装置が前記第２のサービングセル内でダウンリンクシグナリングを受信する。この方法は更に前記ユーザ装置が前記ダウンリンクシグナリングの受信に応答してリファレンスシグナリングを前記第１のサービングセル内で送信する。【選択図】なし【特許請求の範囲】
【請求項１】
無線通信システムにおけるアップリンク送信を処理するための方法であって、前記方法は、
ユーザ装置（ＵＥ）を、第１のサービングセルを制御する第１の基地局と第２のサービングセルを制御する第２の基地局とを含む少なくとも２つの基地局に接続するステップと、
前記ＵＥにより、前記第２のサービングセル内でダウンリンクシグナリングを受信するステップと、
前記ＵＥにより、前記ダウンリンクシグナリングの受信に応答して前記第１のサービングセル内でリファレンス信号を送信するステップと、
を備える方法。
【請求項２】
前記ＵＥにより、前記ダウンリンクシグナリングの受信に応答して前記第１のサービングセル内で特定のアップリンク送信を再開するステップを更に備える、請求項１記載の方法。
【請求項３】
前記特定のアップリンク送信は、リファレンス信号、サウンディングリファレンス信号（ＳＲＳ）、又はチャネル品質指示（ＣＱＩ）報告である、請求項２記載の方法。
【請求項４】
前記リファレンス信号は、非周期的リファレンス信号又は周期的リファレンス信号である、請求項１記載の方法。
【請求項５】
前記ダウンリンクシグナリングは、前記第１のサービングセル内でアップリンクグラントを指示する、請求項１記載の方法。
【請求項６】
前記ダウンリンクシグナリングは、物理ダウンリンク制御チャネル（ＰＤＣＣＨ）又はメディアアクセス制御（ＭＡＣ）制御要素を介して送信される、請求項１記載の方法。
【請求項７】
前記ダウンリンクシグナリングは、前記ＵＥに前記リファレンス信号を前記第１のサービングセル内で送信するよう指示する、請求項１記載の方法。
【請求項８】
前記第２の基地局は、前記第１の基地局からの要求の受信に応答して前記ダウンリンクシグナリングを前記第２のサービングセル内で送信する、請求項１記載の方法。
【請求項９】
第２の基地局がユーザ装置（ＵＥ）をサービングする無線通信システムにおけるアップリンク送信を処理するための方法であって、前記方法は、
前記第２の基地局により、第１の基地局からの、ダウンリンクシグナリングを前記ＵＥへ送信するよう前記第２の基地局に要求する要求を受信するステップと、
前記第２の基地局により、リファレンス信号を前記第１の基地局により制御されるサービングセル内で送信するように前記ＵＥに指示するために、前記ダウンリンクシグナリングを前記ＵＥへ送信するステップと、
を備える方法。
【請求項１０】
前記リファレンス信号は非周期的リファレンス信号又は周期的リファレンス信号である、請求項９記載の方法。
【請求項１１】
前記ダウンリンクシグナリングは、前記サービングセル内でアップリンクグラントを指示する、請求項９記載の方法。
【請求項１２】
前記ダウンリンクシグナリングは、物理ダウンリンク制御チャネル（ＰＤＣＣＨ）又はメディアアクセス制御（ＭＡＣ）制御要素を介して送信される、請求項９記載の方法。
【請求項１３】
無線通信システムにおけるアップリンク送信を処理するための通信装置であって、前記通信装置は、
制御回路と、
前記制御回路内に組み込まれたプロセッサと、
前記制御回路に組み込まれ且つ前記プロセッサに動作可能に結合されたメモリと、を備え、
前記プロセッサは、前記メモリに格納された、アップリンク送信を処理するためのプログラムコードを実行するよう構成され、前記プログラムコードは、
前記通信装置を第１のサービングセルを制御する第１の基地局と第２のサービングセルを制御する第２の基地局とを含む少なくとも２つの基地局に接続するステップ、
前記通信装置により、前記第２のサービングセル内でダウンリンクシグナリングを受信するステップ、
前記通信装置により、前記ダウンリンクシグナリングの受信に応答して前記第１のサービングセル内でリファレンス信号を送信するステップ、
を備える、通信装置。
【請求項１４】
前記プログラムコードを実行し、前記プログラムコードは更に、
前記通信装置により、前記ダウンリンクシグナリングの受信に応答して前記第１のサービングセル内で特定のアップリンク送信を再開するステップ、
を含む、請求項１３記載の通信装置。
【請求項１５】
前記特定のアップリンク送信は、リファレンス信号、サウンディングリファレンス信号（ＳＲＳ）、又はチャネル品質指示（ＣＱＩ）報告である、請求項１４記載の通信装置。
【請求項１６】
前記リファレンス信号は、非周期的リファレンス信号又は周期的リファレンス信号である、請求項１３記載の通信装置。
【請求項１７】
前記ダウンリンクシグナリングは、前記第１のサービングセル内でアップリンクグラントを指示する、請求項１３記載の通信装置。
【請求項１８】
前記ダウンリンクシグナリングは、物理ダウンリンク制御チャネル（ＰＤＣＣＨ）又はメディアアクセス制御（ＭＡＣ）制御要素を介して送信される、請求項１３記載の通信装置。
【請求項１９】
前記ダウンリンクシグナリングは、前記ＵＥに前記リファレンス信号を前記第１のサービングセル内で送信するよう指示する、請求項１３記載の通信装置。
【請求項２０】
前記第２の基地局は、前記第１の基地局からの要求の受信に応答して前記ダウンリンクシグナリングを前記第２のサービングセル内で送信する、請求項１３記載の通信装置。
【発明の詳細な説明】
【技術分野】
【０００１】
関連出願の相互参照
本発明は、２０１５年１月２６日に出願された米国仮特許出願第６２／１０７，８３４号及び２０１５年６月２３日に出願された米国特許出願第６２／１８３，４３９号の優先権の利益を主張するものであり、それらの全開時内容は参照することにより本明細書に組み込まれる。
【０００２】
本発明は、概して無線通信ネットワークに関し、より詳しくは無線通信システムにおけるアップリンク送信を処理するための方法及び装置に関する。
【背景技術】
【０００３】
モバイル通信装置間での多量のデータ通信の需要の急増に伴い、従来のモバイル音声通信ネットワークは、インターネットプロトコル（ＩＰ）データパケットで通信するネットワークへ進化している。このようなＩＰデータパケット通信はモバイル通信装置のユーザに、ボイスオーバＩＰ、マルチメディア、マルチキャスト及びオンデマンド通信サービスを提供することができる。
【０００４】
標準化が現在行われている代表的なネットワーク構造は進化型ユニバーサル地上波無線アクセスネットワーク（Ｅ−ＵＴＲＡＮ）である。Ｅ−ＵＴＲＡＮシステムは高いデータスループットを提供し、上述したＶｏＩＰサービス及びマルチメディアサービスを実現することができる。Ｅ−ＵＴＲＡＮの標準化作業は現在３ＧＰＰ標準化機構で行われている。従って、３ＧＰＰ標準を進化させ、完成させるために、現行の３ＧＰＰ標準への変更が現在提示され、検討されている。
【発明の概要】
【０００５】
無線通信システムにおけるアップリンク送信を処理するための方法及び装置が開示される。一つの方法では、ユーザ装置（ＵＥ）は第１のサービングセルを制御する第１の基地局と第２のサービングセルを制御する第２の基地局とを含む少なくとも２つの基地局に接続する。この方法は更に前記ユーザ装置が前記第２のサービングセル内でダウンリンクシグナリングを受信する。この方法は更に前記ユーザ装置が前記ダウンリンクシグナリングの受信に応答してリファレンスシグナリングを前記第１のサービングセル内で送信する。
【図面の簡単な説明】
【０００６】
【図１】一つの例示的な実施形態による無線通信システムの概略図である。
【図２】一つの例示的な実施形態による送信機システム（アクセスネットワークとしても知られている）及び受信機システム（ユーザ装置（ＵＥ）としても知られている）のブロック図である。
【図３】一つの例示的な実施形態による通信システムの機能ブロック図である。
【図４】一つの例示的な実施形態による図３のプログラムコードの機能ブロック図である。
【図５】一つの例示的な実施形態によるフロー図である。
【図６】一つの例示的な実施形態によるフロー図である。
【図７】別の例示的な実施形態によるフロー図である。
【図８】更に別の例示的な実施形態によるフロー図である。
【図９】一つの例示的な実施形態によるシグナリングフローを示す図である。
【図１０】一つの例示的な実施形態によるシグナリングフローを示す図である。
【図１１】一つの例示的な実施形態によるシグナリングフローを示す図である。
【発明を実施するための形態】
【０００７】
以下に記載する例示的な無線通信システム及び装置は無線通信システムを利用し、放送サービスをサポートする。無線通信システムは、音声、データなどの種々の通信を提供するために広く展開されている。これらのシステムは、符号分割多元接続（ＣＤＭＡ）、時分割多元接続（ＴＤＭＡ）、直交周波数分割多元接続（ＯＦＤＭＡ）、３ＧＰＰ  ＬＴＥ（Long Term Evolution）無線アクセス、３ＧＰＰ  ＬＴＥ−Ａ又はＬＴＥ−Advanced（Long Term Evolution Advanced）、３ＧＰＰ２  ＵＭＢ（Ultra Mobile Broadband）、ＷｉＭａｘ、又はいくつかの他の変調技術に基づき得る。
【０００８】
特に、以下に記載する例示的な無線通信システム／装置は、ドコモ５Ｇホワイトペーパー（ＮＴＴドコモ；２０１４年７月）の様々な文書に記載された無線技術に従って設計することができる。更に、以下に記載する例示的な無線通信システム／装置は、「第３世代移動体通信システムの標準化プロジェクト」（ここでは３ＧＰＰと表記する）という名称の団体により提供される標準、例えば：3GPP R2-145410, ”Introduction of Dual Connectivity”; 3GPP TS36.321 Vl2.3.0，”E-UTRAN MAC Protocol Specification”；3GPP TS36.300 Vl2.3.0, “E-UTRAN RRC protocol description”; 3GPP TS36.300 V2.3.0, “E-UTRAN and E-UTRAN overall description”：の一つ以上の標準をサポートするように設計することができる。上記の標準及び文書は参照することによりそれらの全内容が明示的に本明細書に組み込まれる。
【０００９】
図１は本発明の一実施形態によるマルチアクセス無線通信システムを示す。アクセスネットワーク（ＡＮ）１００は複数のアンテナ群を含み、一つの群はアンテナ１０４及び１０６を含み、もう一つの群はアンテナ１０８及び１１０を含み、追加の群はアンテナ１１２及び１１４を含む。図１において、各アンテナ群につき２つのアンテナのみを示すが、もっと多数又は少数のアンテナを各アンテナ群に使用してもよい。アクセス端末（ＡＴ）１１６はアンテナ１１２及び１１４と通信状態にあり、アンテナ１１２及び１１４は情報をアクセス端末１１６へ順方向リンク１２０を介して送信し、アクセス端末１１６からの情報を逆方向リンク１１８を介して受信する。アクセス端末（ＡＴ）１２２はアンテナ１０６及び１０８と通信状態にあり、アンテナ１０６及び１０８は情報をアクセス端末（ＡＴ）１２２へ順方向リンク１２６を介して送信し、アクセス端末（ＡＴ）１２２からの情報を逆方向リンク１２４を介して受信する。ＦＤＤシステムでは、通信リンク１１８，１２０，１２４及び１２６は通信のために異なる周波数を使用することができる。例えば、順方向リンク１２０は逆方向リンク１１８で使用される周波数と異なる周波数を使用することができる。
【００１０】
各群のアンテナ及び／又はそれらのアンテナが通信するように設計されたエリアはしばしばアクセスネットワークのセクタと呼ばれている。本実施形態では、各アンテナ群はアクセスネットワーク１００によりカバーされるエリアの１つのセクタ内のアクセス端末と通信するように設計される。
【００１１】
順方向リンク１２０及び１２６を経由する通信において、アクセスネットワーク１００の送信アンテナは、異なるアクセス端末１１６及び１２２の順方向リンクの信号対雑音比を向上させるために、ビームフォーミング技術を利用することができる。また、そのカバレッジエリア中にランダムに散在するアクセス端末への送信のためにビームフォーミング技術を利用するアクセスネットワークは、単一のアンテナでその全アクセス端末へ送信するアクセスネットワークよりも、隣接するセル内の端末への干渉を起こしにくい。
【００１２】
アクセスネットワーク（ＡＮ）は端末と通信するために使用する固定局又は基地局とすることができ、アクセスポイント、ノードＢ、基地局、エンハンスド基地局、エボルブドノードＢ（ｅＮＢ）等とも称されている。アクセス端末（ＡＴ）はユーザ装置（ＵＥ）、無線通信装置、アクセス端末等とも称されている。
【００１３】
図２は、ＭＩＭＯシステム２００内の送信機システム２１０（アクセスネットワークとしても知られる）と、受信機システム２５０（アクセス端末（ＡＴ）又はユーザ装置（ＵＥ）としても知られる）との例示的な実施形態を示す簡略ブロック図である。送信機システム２１０において、複数のデータストリームのトラヒックデータがデータソース２１２から送信（ＴＸ）データプロセッサ２１４に供給される。
【００１４】
一実施形態では、各データストリームはそれぞれの送信アンテナで送信することができる。ＴＸデータプロセッサ２１４は、各データストリームのトラヒックデータを当該データストリームに対して選択された特定の符号化方式に基づいてフォーマット化し、符号化し、インターリーブして符号化データを提供することができる。
【００１５】
各データストリームの符号化データはＯＦＤＭ技術を用いてパイロットデータと多重化することができる。パイロットデータは典型的には周知の方法で処理された周知のデータパターンであり、受信システムでチャネル応答を評価するために使用することができる。各データストリームの多重化されたパイロット及び符号データはその後当該データストリームに対して選択された特定の変調方式（例えば、ＢＰＳＫ，ＱＰＳＫ，Ｍ−ＰＳＫ又はＭ−ＱＡＭ）に基づいて変調されて変調シンボルを提供する。各データストリームのデータレート、符号化及び変調はプロセッサ２３０で実行される命令により決定することができる。
【００１６】
すべてのデータストリームの変調シンボルはその後ＴＸ  ＭＩＭＯプロセッサ２２０へ送信され、このプロセッサは変調シンボルを（例えばＯＦＤＭのために）更に処理することができる。ＴＸ  ＭＩＭＯプロセッサ２２０はその後ＮＴ個の変調シンボルストリームをＮＴ個の送信機（ＴＭＴＲ）２２２ａ〜２２２ｔに供給する。特定の実施形態によれば、ＴＸ  ＭＩＭＯプロセッサ２２０はデータストリームのシンボル及びそのシンボルを送信するアンテナにビームフォーミング重みを供給する。
【００１７】
各送信機２２２はそれぞれのシンボルストリームを受信し処理して１以上のアナログ信号を提供し、更にアナログ信号を調整、即ち増幅し、フィルタ処理し、及びアップコンバートしてＭＩＭＯチャネルでの送信に適した変調信号を提供する。送信機２２２ａ〜２２２ｔからのＮＴ個の変調信号はその後それぞれＮＴ個のアンテナ２２４ａ〜２２４ｔから送信される。
【００１８】
受信機システム２５０において、送信されてきた変調信号はＮＲアンテナ２５２ａ〜２５２ｒにより受信され、各アンテナ２５２からの受信信号はそれぞれの受信機（ＲＣＶＲ）２５４ａ〜２５４ｒに供給される。各受信機２５４は、それぞれの受信信号を調整、即ちフィルタ処理し、増幅し、及びダウンコンバートし、調整した信号をディジタル化してサンプルを提供し、更にサンプルを処理して対応する「受信」シンボルストリームを提供する。
【００１９】
ＲＸデータプロセッサ２６０は、ＮＲ個の受信機２５４からのＮＲ個の受信シンボルストリームを受信し、特定の受信処理技術に基づいて処理してＮＴ個の「検出」シンボルストリームを提供する。ＲＸデータプロセッサ２６０はその後各検出シンボルストリームを復調し、デインターリーブし、復号してデータストリームのトラヒックデータを復元する。ＲＸデータプロセッサ２６０による処理は送信機システム２１０内のＴＸ  ＭＩＭＯプロセッサ２２０及びＴＸデータプロセッサ２１４により実行される処理と相補的である。
【００２０】
プロセッサ２７０は、以下に述べるように、どのプリコーディング行列を使用するかを周期的に決定する。プロセッサ２７０は行列インデックス部分とランク値部分とを含むリバースリンクメッセージを形成することができる。
【００２１】
リバースリンクメッセージは通信リンク及び／又は受信データストリームに関する種々の情報を含むことができる。リバースリンクメッセージはその後ＴＸデータプロセッサ２３８により処理され、このプロセッサはデータソース２３６からの複数のデータストリームのトラヒックデータも受信し、送信機２５４ａ〜２５４ｒにより調整され、送信機システム２１０に返送される。
【００２２】
送信機システム２１０において、受信機システム２５０からの変調信号はアンテナ２２４により受信され、受信機２２２により調整され、復調器２４０により復調され、受信機システム２５０により送信されたリバースリンクメッセージを抽出するためにＲＸデータプロセッサ２４２により処理される。プロセッサ２３０はその後、ビームフォーミング重みの決定のためにどのプリコーディング行列を使用するかを決定し、その後抽出したメッセージを処理する。
【００２３】
図３につき説明すると、この図は本発明の一実施形態による通信装置の簡略機能ブロック図を示す。図３に示すように、無線通信システム内の通信装置３００は図１のＵＥ（またはＡＴ）１１６及び１２２、あるいは、図１の基地局（あるいはＡＮ）を実現するために使用することができ、本無線通信システムはＬＴＥシステムとすることができる。本通信装置３００は入力装置３０２、出力装置３０４、制御回路３０６、中央処理装置（ＣＰＵ）３０８、メモリ３１０、プログラムコード３１２、及びトランシーバ３１４を含むことができる。制御回路３０６はメモリ３１０内のプログラムコードをＣＰＵ３０８により実行して、通信装置３００の動作を制御する。通信装置３００はキーボード又はキーパッド等の入力装置３０２を介してユーザにより入力される信号を受信し、モニタ又はスピーカ等の出力装置３０４を介して出力画像及び音声を出力し得る。トランシーバ３１４は無線信号を受信及び送信するために使用され、受信した信号を制御回路３０６に送り、制御回路３０６により発生された信号を送出する。無線通信システム内の通信装置３００は図１のＡＮ１００を実現するために使用することもできる。
【００２４】
図４は、本発明の一実施形態による、図３に示すプログラムコード３１２の簡略ブロック図を示す。この実施形態では、プログラムコード３１２はアプリケーション層４００、レイヤ３部分４０２、及びレイヤ２部分４０４を含み、レイヤ１部分４０６に結合される。レイヤ３部分４０２は一般に無線リソース制御を実行する。レイヤ２部分４０４は一般にリンク制御を実行する。レイヤ１部分４０６は一般に物理的接続を実行する。
【００２５】
ＬＴＥ又はＬＴＥ−Ａシステムに対して、レイヤ２部分４０４は無線リンク制御（ＲＬＣ）層及びメディアアクセス制御（ＭＡＣ）層を含むことができる。レイヤ３部分４０２は無線リソース制御（ＲＲＣ）層を含むことができる。
【００２６】
５Ｇの無線アクセスのコンセプトはドコモ５Ｇホワイトペーパーに記載されている。このホワイトペーパーにも記載されている一つの要点は、低周波数帯域及び高周波数帯域を効率的に統合することにある。高周波数帯域はより広いスペクトルの機会を与えるが、高い経路損失のためにカバレッジ制限を有する。そのため、ドコモ５Ｇホワイトペーパーでは、５Ｇシステムはカバレッジレイヤ（例えば、マクロセルからなる）とキャパシティレイヤ（例えば、スモールセル又はファントムセルからなる）とからなる２層構造にすることが提案されている。カバレッジレイヤは基本のカバレッジ及びモビリティを提供するために既存の低周波数帯域を使用する。そして、キャパシティレイヤは高いデータレート伝送を提供するために新しい高周波数帯域を使用する。カバレッジレイヤはエンハンストロングタームエボリューション無線アクセス技術（ＬＴＥＲＡＴ）でサポートすることができるが、キャパシティ層は高周波数帯域専用の新無線アクセス技術でサポートすることができる。カバレッジレイヤとキャパシティレイヤとの効率的な統合は、エンハンストＬＴＥ無線アクセス技術と新無線アクセス技術との間の密接な連携（デュアルコネクティビティ）により可能になる。
【００２７】
３ＧＰＰ  Ｒ２−１４５４１０に開示されているデュアルコネクティビティはＲＲＣ＿ＣＯＮＮＥＣＴＥＤ中におけるユーザ装置（ＵＥ）の一動作モードであり、マスタセル群（即ち、マスタｅＮＢ（ＭｅＮＢ）と関連するサービングセルの群で、プライマリセル（ＰＣｅｌｌ）及び任意選択で一以上のセカンダリセル（ＳＣｅｌｌ）を含む）と、セカンダリセル群（即ち、セカンダリｅＮＢ（ＳｅＮＢ）と関連するサービングセルの群で、プライマリセルＳＣｅｌｌ（ＰＳＣｅｌｌ）及び任意選択で一以上のセカンダリセルＳＣｅｌｌを含む）とで設定される。デュアルコネクティビティに設定されたＵＥは、Ｘ２インタフェースで理想的でない帰路を介して接続される２つのｅＮＢ（例えば、ＭeＮＢ及びＳｅＮＢ）内の別個のスケジューラによって提供される無線リソースをＵＥが利用するように設定されることを示す。デュアルコネクティビティの他の詳細は３ＧＰＰ  Ｒ２−１４５４１０に開示されている。
【００２８】
サービングセル又はサービングセル群においてアップリンクタイムアライメントを維持するために、（ＭＡＣ制御要素又はランダムアクセスレスポンスメッセージ内の）タイミングアドバンスコマンド及びタイムアライメントタイマが、３ＧＰＰＴＳ３６．３２１ Ｖ１２．３．０に開示されているように、ＬＴＥにおいて使用され、以下の通りである。
【００２９】
５.２  アップリンクタイムアライメントの維持
ＵＥはＴＡＧごとに設定可能なタイマ（タイムアライメントタイマ）を有する。タイムアライメントタイマは、ＵＥが関連するＴＡＧに属するサービングセルをアップリンクタイムアラインメントすべきとみなす期間を制御するために使用される[８]。
ＵＥは、
・タイミングアドバンスコマンドＭＡＣ制御要素が受信されたとき、
・  そのタイミングアドバンスコマンドを指示されたＴＡＧに対して適用し；
・  指示されたＴＡＧと関連するタイムアライメントタイマを開始又は再開始し；
・タイムアドバンスコマンドがＴＡＧに属するサービングセルに対するランダムアクセスレスポンスメッセージで受信されるとき、
・  そのランダムアクセスプリアンブルがＵＥＭＡＣで選択されなかった場合：
・  そのタイムアドバンストコマンドをこのＴＡＧに対して適用し；
・  このＴＡＧと関連するタイムアライメントタイマを開始又は再開始し；
・このＴＡＧと関連するタイムアライメントタイマが動作してない場合：
・そのタイミングアドバンスコマンドをこのＴＡＧに対して適用し；
・このＴＡＧと関連するタイムアライメントタイマを開始し；
・競合分析が従属節５．１．５に記載されているように成功でないとみなされるとき、このＴＡＧと関連するタイムアライメントタイマを停止する。
・  さもなければ：
・受信したタイミングアドバンスコマンドを無視する。
・タイミングアライメントタイマが終了するとき：
・  タイムアライメントタイマがｐＴＡＧと関連する場合：
・  すべてのサービングセルに対してすべてのＨＡＲＱバッファをフラッシュし；
・  すべてのサービングセルに対してＰＵＣＣＨ／ＳＲＳを開放することをＲＲＣに通知し；
・  設定されたダウンリンク割り当て及びアップリンクグラントをクリアし；
・  すべての動作しているタイムアライメントタイマを終了したとみなし；
・  そうではなく、タイムアライメントタイマがｓＴＡＧと関連する場合、このＴＡＧに属するすべてのサービングセルに対して：
・すべてのＨＡＲＱバッファをフラッシュし；
・ＲＲＣにＳＲＳを開放することを通知する；
サービングセルが属するＴＡＧと関連するタイムアライメントタイマが動作していないとき、ＵＥは、ランダムアクセスプリアンブルの送信を除いて、そのサービングセル上で如何なるアップリンク送信も実行しない。更に、ｐＴＡＧと関連するタイムアライメントタイマが動作していないとき、ＵＥはＰＣｅｌｌでのランダムアクセスプリアンブル送信を除いて、如何なるサービングセルでの如何なるアップリンク送信も実行しない。
注意：ＵＥは関連するタイムアライメントタイマの終了時にＮTAを記憶又は維持し、ここでＮTAは[７]に定義されている。ＵＥは、タイムアライメントタイマが動作していないときも、受信タイミングアドバンスコマンドＭＡＣ制御要素を使用し、関連するタイムアライメントタイマを開始する。
【００３０】
また、キャパシティレイヤ上のセルはビームフォーミングを使用することができる。ビームフォーミングは指向性信号送信又は受信のためにアンテナアレイで使用される信号処理技術である。これは、特定の角度の信号は建設的干渉を受けるが他の信号は相殺的干渉を受けるようにフェーズドアレイの要素を組み合わせることによって達成される。ビームフォーミングは空間選択性を達成するために送信側及び受信側で使用することができる。無指向性送信／受信と比較して受信／送信利得の向上が得られることが知られている。
【００３１】
ビームフォーミングはレーダシステムに適用されている。フェーズドアレイレーダにより生成されるビームは比較的細く、移動パラボラアンテナに比較して高度に機敏である。この特性は飛行機に加えて弾道ミサイルなどの小さな高速目標を検出する能力をレーダに与える。
【００３２】
同一チャネル干渉低減の利点のために、ビームフォーミングはモバイル通信システムにおける魅力的な選択肢にもなり得る。例えば、ビームフォーミング技術に基づくビーム分割多元接続（ＢＤＭＡ）のコンセプトが利用されている。ＢＤＭＡでは、基地局は送信／受信利得を得るために細いビームでモバイル装置と通信することができる。加えて、異なるビーム内に位置する２つのモバイル装置は同じ時間に同じ無線リソースを共有することができ、従ってモバイル通信システムのキャパシティを大幅に増すことができる。これを達成するために、基地局はモバイル装置がどのビーム内に位置するかを知る必要がある。
【００３３】
前述したように、高周波数帯域を用いるセルはカバレッジ制限を有し、スモールセルにする必要があると仮定される。その結果、アップリンクタイムアライメントを維持するメカニズム、例えばタイミングアドバンスコマンド及びタイムアライメントタイマは、スモールセル内のＵＥはスモールセルの小さなカバレッジのために常にアップリンクタイムアライメントされていると仮定する必要はないかもしれない。換言すれば、ＵＥはスモールセルと関連するタイマをアップリンクタイムがアライメントされているか否かを決定するために維持する必要はない。代わりに、タイマの値を無限大に設定することができる。
【００３４】
しかしながら、タイムアライメントタイマを使用しない場合には、（例えば、関連するサービングセルに対するハイブリッドオートマチックレピートリクエスト（ＨＡＲＱ）バッファをフラッシュし、物理アップリンク制御チャネル（ＰＵＣＣＨ）及び/又はサウンディングリファレンス信号（ＳＲＳ）を関連するサービングセルに対して開放するように無線リソース制御（ＲＣＣ）に通知することによって）、ＵＥは時間切れのためにセル上の如何なるアップリンク送信も停止しない。ＵＥに関連するアップリンク（ＵＬ）又はダウンリンク（ＤＬ）トラフィックがない場合には、アップリンク送信の一定の送信（例えば、周期的ＳＲＳ及び周期的チャネル品質インジケータ（ＣＱＩ））は不要なＵＥの電力消費をもたらす。従って、不要のアップリンク送信を停止し、必要なときに送信を再開させることを考えるべきである。
【００３５】
現在ＬＴＥにはいくつかの代替方法がある：
【表１】
2016140062.tif 000002
【００３６】
開示されているように、既存の代替方法のいずれもタイムアライメントタイマの良好な代わりにならない。従って、不要なアップリンク送信を停止し、デュアル周波数帯域システムにおいて必要なときに送信を再開する必要がある。
【００３７】
サービングセル内のある特定のＵＬ送信の停止及び再開は、基地局からのシグナリング、例えば物理ダウンリンク制御チャネル（ＰＤＣＣＨ）シグナリング又はメディアアクセス制御（ＭＡＣ）制御要素によって明示的に実行するか、ＵＥによって非明示的に実行することができる。特定のＵＬ送信は、以下のシグナリング：周期的リファレンス信号、例えばＳＲＳ（３ＧＰＰＴＳ３６．３２１ Ｖ１２．３．０に定義されている）；周期的チャネル状態報告、例えばＣＱＩ報告（３ＧＰＰＴＳ３６．３２１ Ｖ１２．３．０に定義されている）；及び/又は半永続アップリンク送信、例えば設定されたアップリンクグラントの使用（３ＧＰＰＴＳ３６．３２１ Ｖ１２．３．０に定義されている）：のうちの少なくとも一つを含む。
【００３８】
より具体的には、ＵＥが特定のＵＬ送信を停止するとき、特定のＵＬ送信と関連する（ＲＲＣ）設定は解放されない。そして、特定のＵＬ送信が停止されたとき、ＵＥは以下のシグナリング：スケジューリング要求（３ＧＰＰＴＳ３６．３２１ Ｖ１２．３．０）に定義されている）；及び/又はランダムアクセスプリアンブル（３ＧＰＰＴＳ３６．３２１ Ｖ１２．３．０に定義されている）：のうちの少なくとも一つを停止しない。
【００３９】
非明示的停止に関して、ＵＥにより維持されるセルと関連するタイマは、特定のＵＬ送信がそのセル内で実行されるべきか否かを決定するために使用することができる。一実施形態では、タイマの終了時に、ＵＥはセル内の特定のＵＬ送信を停止する。あるいは、ＵＥは少なくともタイマが動作していない場合にセル内の特定のＵＬ送信を実行しない。タイマは、以下の状態のうちの一つ以上の発生時：セルと関連するｄｒｘイナクティビティタイマ（３ＧＰＰＴＳ３６．３２１ Ｖ１２．３．０に定義されている）が開始するとき；セルと関連するｄｒｘイナクティビティタイマ（３ＧＰＰＴＳ３６．３２１ Ｖ１２．３．０に定義されている）が終了するとき；セルと関連するｄｒｘショートサイクルタイマ（３ＧＰＰＴＳ３６．３２１ Ｖ１２．３．０に定義されている）が開始するとき；セルと関連するｄｒｘショートサイクルタイマ（３ＧＰＰＴＳ３６．３２１ Ｖ１２．３．０に定義されている）が終了するとき；ＵＥがＤＲＸコマンドＭＡＣ制御要素（３ＧＰＰＴＳ３６．３２１ Ｖ１２．３．０に定義されている）を受信するとき；ＵＥがセル内のダウンリンク送信を受信するとき；ＵＥがセルと関連するダウンリンク送信を受信するとき；ＵＥがセル内のアップリンクグラントを受信するとき、及び/又はＵＥがセルと関連するアップリンクグラントを受信するとき：に開始（又は再開始）される。
【００４０】
また、このタイマはｄｒｘイナクティビティタイマ又はｄｒｘショートサイクルタイマとすることができる。
【００４１】
非明示的再開に関して、ＵＥは特定のＵＬ送信を以下の状態のうちの少なくともの一つの発生時：ＵＥがセル内でダウンリンク送信を受信するとき；ＵＥがセルと関連するダウンリンク送信を受信するとき；ＵＥがセル内でアップリンクグラントを受信するとき；ＵＥがセルと関連するアップリンクグラントを受信するとき；ＵＥがスケジューリング要求（３ＧＰＰＴＳ３６．３２１ Ｖ１２．３．０に定義されている）をトリガするとき；及び/又はＵＥがＵＥに対するセルのビームセットの変更を検出するとき：に特定のＵＬ送信を再開することができる。
【００４２】
明示的再開に関して、キャパシティレイヤ内のサービングセルがビームフォーミングを使用する場合には、サービングセル（例えば、ＳＣｅｌｌ又はＰＳＣｅｌｌ）を制御する第１の基地局（例えば、ＳｅＮＢ）は、ＵＥからのＵＬ送信がなければ、しばらくの間ＵＥに至る方向を識別することはできない。その結果、第１の基地局はどのビームがＵＥに特定のＵＬ送信を再開するよう要求するシグナリングを送信するかを知り得ない。それゆえ、明示的再開は、第２の基地局、例えばカバレッジレイヤ内の別のサービングセルを制御するＭｅＮＢからの援助を必要とする。第２の基地局はＵＥに、以下の操作：サービングセル内での特定のＵＬ送信の再開；サービングセル内でのランダムアクセス手順の開始；サービングセル内でのスケジューリング要求の送信；及び/又はサービングセル内での非周期的リファレンス信号、例えば非周期的ＳＲＳの送信：のうちの少なくとも一つを実行するよう要求するために、ＤＬシグナリング、例えばＰＤＣＣＨシグナリング又はＭＡＣ制御要素を送信することができる。より具体的には、サービングセルはサービングセル内の送信をスケジューリングすることができ、例えばＰＤＣＣＨシグナリングをサービングセル内で送信することができる。
【００４３】
より具体的には、ＤＬシグナリングはランダムアクセス手順で使用される専用プリアンブルを指示することができる。ＤＬシグナリングはＰＤＣＣＨオーダ（３ＧＰＰＴＳ３６．３２１ Ｖ１２．３．０に定義されている）とすることができる。より具体的には、第２の基地局は第１の基地局からの要求の受信のためにＤＬシグナリングを送信する。
【００４４】
図５は一つの例示的な実施形態によるＵＥの観点からのフロー図５００を示す。ステップ５０２において、ＵＥはＭｅＮＢ及びＳｅＮＢを含む２つ以上の基地局に接続する。ステップ５０４において、スケジューリング要求をタイマの状態に関係なくＳｅＮＢのサービングセル内で送信する。ステップ５０６において、ダウンリンクシグナリングをタイマの状態に関係なく前記サービングセル内でモニタする。ステップ５０８において、タイマが動作しているとき、特定のＵＬ送信を前記サービングセル内で送信し、タイマが動作していないとき、特定のＵＬ送信を送信しない。
【００４５】
図６は一つの例示的な実施形態によるＵＥの観点からのフロー図６００を示す。ステップ６０２において、ＵＥはＭｅＮＢ及びＳｅＮＢを含む２つ以上の基地局に接続する。ステップ６０４において、スケジューリング要求をＵＥの状態に関係なくＳｅＮＢのサービングセル内で送信し、ここでＵＥの状態は少なくとも第１の状態と第２の状態とを含む。ステップ６０６において、ダウンリンクシグナリングをＵＥの状態に関係なく前記サービングセル内でモニタする。ステップ６０８において、ＵＥが第１の状態であるとき、特定のＵＬ送信を前記サービングセル内で送信し、ＵＥが第２の状態であるとき、特定のＵＬ送信を送信せず、ＵＥが前記サービングセル内で送信すべきデータを有するとき、ＵＥは第２の状態から第１の状態に切り替わる。
【００４６】
図７は一つの例示的な実施形態によるＵＥの観点からのフロー図７００を示す。ステップ７０２において、ＵＥはＭｅＮＢ及びＳｅＮＢを含む２つ以上の基地局に接続する。ステップ７０４において、スケジューリング要求をＵＥの状態に関係なくＳｅＮＢのサービングセル内で送信する。ＵＥの状態は少なくとも第１の状態と第２の状態を含む。ステップ７０６において、ダウンリンクシグナリングをＵＥの状態に関係なく前記サービングセル内でモニタする。ステップ７０８において、ＵＥが第１の状態であるとき、特定のＵＬ送信を前記サービングセル内で送信し、ＵＥが第２の状態であるとき、特定のＵＬ送信を送信せず、ＵＥにより検出される前記サービングセルの一以上のビームが変化するとき、ＵＥは第２の状態から第１の状態に切り替わる。
【００４７】
図８は一つの例示的な実施形態によるＵＥの観点からのフロー図８００を示す。ステップ８０２において、ＵＥはＭｅＮＢ及びＳｅＮＢを含む２つ以上の基地局に接続する。ステップ８０４において、特定のＵＬ送信をＳｅＮＢの第１のサービングセル内で一時停止する。ステップ８０６において、ダウンリンクシグナリングをＭｅＮＢの第２のサービングセル内で受信する。ステップ８０８において、前記特定のＵＬ送信を前記ダウンリンクシグナリングの受信に応答して第１のサービングセル内で再開する。
【００４８】
ＵＥがサービングセルによりサービスされる一つの例示的な実施形態によれば、タイマが動作してない場合に少なくとも一つの特定のアップリンク送信が停止される。タイマが動作していようとなかろうと、スケジューリング要求がサービングセル内で送信され、タイマはサービングセル内におけるダウンリンクシグナリングのモニタリングのタイミングに影響を与えない。
【００４９】
ＵＥがサービングセルによりサービスされる別の例示的な方法では、タイマの終了のために少なくとも一つの特定のアップリンク送信が停止される。タイマが終了していようとなかろうと、スケジューリング要求がサービングセル内で送信され、タイマはサービングセル内におけるダウンリンクシグナリングのモニタリングのタイミングに影響を与えない。
【００５０】
これらの例示的方法の別の実施形態では、前記タイマが動作しているときＵＥは特定のアップリンク送信を送信する。
【００５１】
これらの例示的方法では、前記タイマはサービングセルと関連するが、タイマは必ずしもＵＥが接続されるすべてのサービングセルと関連するわけではない。
【００５２】
これらの例示的方法では、前記タイマはサービングセルと関連するＤＲＸタイマが開始するとき開始される。他の例示的方法では、前記タイマはサービングセルと関連するＤＲＸタイマが終了するとき再開始される。ＤＲＸタイマはｄｒｘイナクティビティタイマ又はｄｒｘショートサイクルタイマとすることができる。
【００５３】
別の方法では、前記タイマはダウンリンクシグナリングがサービングセル内で受信されるとき開始される。更に別の方法では、前記タイマはスケジューリングセルと関連するダウンリンクシグナリングが受信されるとき再開始される。
【００５４】
別の方法では、前記タイマはＤＲＸコマンドＭＡＣ制御要素がサービングセル内で受信されるとき開始される。更に別の方法では、前記タイマはＤＲＸコマンドＭＡＣ制御要素がサービングセル内で受信されるとき再開始される。
【００５５】
ＵＥがあるサービングセルによりサービスされる一つの例示的な方法では、ＵＥは第１の状態に入る。この第１の状態では、ＵＥは少なくとも特定のアップリンク送信及びスケジューリング要求を前記サービングセル内で実行することが許される。ＵＥが第２の状態へ変化するとき、ＵＥは少なくともスケジューリング要求を実行することが許され、ＵＥは前記サービングセル内で特定のアップリンク送信を一時停止する。ＵＥはイベントの発生時に第２の状態から第１の状態に切り替わる。ＵＥは、ＵＥが第１の状態であろうと第２の状態であろうと、前記サービングセル内のダウンリンクシグナリングをモニタする。
【００５６】
一つの方法では、ＵＥはタイマが終了するとき第１の状態から第２の状態へ変化する。あるいは、ＵＥはネットワークからのコマンドの受信時に第１の状態から第２の状態へ変化する。いくつかの実施形態では、ＵＥの第２の状態から第１の状態への切り替えをトリガするイベントは、サービングセル内のダウンリンクシグナリングの受信、サービングセルと関連するダウンリンクシグナリングの受信、スケジューリング要求のトリガ、サービングセル内におけるＵＥのビームセットの変更の検出、及び/又はＵＥにより検出されるサービングセルの一以上のビームの変更を含む。
【００５７】
他の方法では、ビームの検出は、ＵＥで受信されるビームと関連するＤＬリファレンス信号の電力が閾値より大きいかである。他の方法では、ビームの識別又は検出のために、即ちビームの識別子を導出するために、ビームと関連するＤＬリファレンス信号の送信タイミングをＵＥで利用することができる。また、ビームの識別又は検出のために、即ちビームの識別子を導出するために、ビームと関連するＤＬリファレンス信号の送信リソースをＵＥで利用することもできる。
【００５８】
他の方法では、ＵＥが第１の状態であるか第２の状態であるかはタイマが動作しているか否かに基づいて決定される。
【００５９】
他の方法では、ＵＥは第１の状態において特定のアップリンク送信を周期的に実行する必要がある。ＵＥは第２の状態において特定のアップリンク送信を周期的に実行する必要はない。
【００６０】
ＵＥのための別の例示的な方法では、該方法は、一つのサービングセルを制御する第１の基地局と別のサービングセルを制御する第２の基地局とを含む少なくとも２つの基地局と接続し、前記一つのサービングセル内で特定のアップリンク送信を一時停止し、前記別のサービングセル内でダウンリンクシグナリングを受信し、前記ダウンリンクシグナリングの受信に応答して前記一つのサービングセル内で前記特定のアップリンク送信を再開する。
【００６１】
第１の基地局のための一つの例示的な方法では、該方法はあるＵＥをサービングするステップと、要求を第２の基地局へ送信するステップとを含み、前記要求は、前記第１の基地局により制御されるサービングセル内で特定のアップリンク送信を再開するよう前記ＵＥに指示するために、ダウンリンクシグナリングを前記ＵＥへ送信するよう第２の基地局に要求するものである。
【００６２】
第２の基地局のための一つの例示的な方法では、該方法はあるＵＥをサービングするステップと、第１の基地局からの、ダウンリンクシグナリングを前記ＵＥへ送信するよう第２の基地局に要求する要求を受信するステップと、第１の基地局により制御されるサービングセル内で特定のアップリンク送信を再開することを前記ＵＥに指示するために前記ダウンリンクシグナリングを前記ＵＥへ送信するステップと、を含む。
【００６３】
前記ＵＥ、前記第１の基地局及び第２の基地局のための他の方法では、前記ダウンリンクシグナリングは特定のアップリンク送信をサービングセル内で再開するよう指示する。従って、他の方法では、ＵＥは、サービングセル内での特定のアップリンク送信を一時停止するときに、サービングセル内でスケジューリング要求の送信が許される。
【００６４】
別の例示的な方法では、あるＵＥは一つのサービングセルを制御する第１の基地局と別のサービングセルを制御する第２の基地局とを含む少なくとも２つの基地局に接続し、前記別のサービングセル内でダウンリンクシグナリングを受信し、前記ダウンリンクシグナリングの受信に応答して前記一つのサービングセル内でリファレンス信号を送信する。
【００６５】
別の例示的な方法では、第１の基地局があるＵＥをサービングし、要求を第２の基地局へ送信し、前記要求は前記第１の基地局により制御されるサービングセル内でリファレンス信号を送信するよう前記ＵＥに指示するために、ダウンリンクシグナリングを前記ＵＥへ送信するよう第２の基地局に要求するものである。
【００６６】
別の例示的な方法では、第２の基地局があるＵＥをサービングし、第１の基地局から要求を受信し、前記要求はダウンリンクシグナリングを前記ＵＥへ送信するよう第２の基地局に要求するものであり、前記第１の基地局により制御されるサービングセル内でリファレンス信号を送信するよう前記ＵＥに指示するために前記ダウンリンクシグナリングを前記ＵＥへ送信する。
【００６７】
ＵＥ、第１の基地局及び第２の基地局のための他の方法では、ダウンリンクシグナリングがサービングセル内でリファレンス信号を送信するようＵＥに指示する。更に、他の方法では、リファレンス信号は非周期的リファレンス信号である。いくつかの実施形態では、ダウンリンクシグナリングの受信時にＵＥがサービングセル内で特定のアップリンク送信を一時停止する。他の方法では、ダウンリンクシグナリングの受信に応答してＵＥが特定のアップリンク送信を再開する。
【００６８】
様々な方法では、第１の基地局はＳｅＮＢであり、第２の基地局はＭｅＮＢである。いくつかの方法では、サービングセルはＰＳＣｅｌｌである。代替例では、サービングセルはＳＣｅｌｌである。ここに開示する様々な方法では、基地局はｅＮＢである。
【００６９】
様々な例示的方法では、特定のアップリンク送信の一時停止時に、ＵＥは特定のアップリンク送信の（ＲＲＣ）設定を維持する。他の方法では、サービングセル内の送信はサービングセルでスケジューリングすることができ、例えばＰＤＣＣＨシグナリングをサービングセル内で送信することができる。
【００７０】
ここに開示される様々な方法では、ＵＥは複数のサービングセルに接続する。いくつかの実施形態では、複数のサービングセルはもっと多くの基地局で制御される。また、複数のサービングセルは異なる基地局で制御される。いくつかの方法では、サービングセルは基地局、例えばＰＣｅｌｌを制御しないＳｅＮＢで制御される。
【００７１】
ここに開示される様々な方法では、特定のアップリンク送信は周期的に、例えばネットワークから受信される設定に基づいて送信される。ここに開示される様々な方法では、特定のアップリンク送信は、リファレンス信号：ＳＲＳ；ＣＱＩ報告；プリコーディングマトリクスインデックス（ＰＭＩ）報告（３ＧＰＰＴＳ３６．３２１ Ｖ１２．３．０に定義されている）；ランクインジケータ（ＲＩ）報告（３ＧＰＰＴＳ３６．３２１ Ｖ１２．３．０に定義されている）；プリコーディングタイプインジケータ（ＰＴＩ）報告（３ＧＰＰＴＳ３６．３２１ Ｖ１２．３．０に定義されている）；及び/又は半永続アップリンク送信（例えば、半永続スケジューリング（ＳＰＳ））：を含むことができる。ここに開示される様々な方法では、特定のアップリンク送信はランダムアクセスプリアンブルを含まない。
【００７２】
ここに開示される様々な方法では、スケジューリング要求はバッファステータス報告（ＢＳＲ）トリガ（３ＧＰＰＴＳ３６．３２１ Ｖ１２．３．０に定義されている）に起因して送信される。他の方法では、スケジューリング要求はアップリンクリソースを要求するために使用される。
【００７３】
ここに開示される様々な方法では、ダウンリンクシグナリングはサービングセル内におけるダウンリンク割り当て又はサービングセル内におけるアップリンクグラントを示す。また、ダウンリンクシグナリングは新たな送信のために使用される。他の方法では、アップリンクグラントは新たな送信向けである。
【００７４】
様々な方法では、ダウンリンクシグナリングはＰＤＣＣＨ又は物理ダウンリンク共有チャネル（ＰＤＳＣＨ）を介して送信される。他の方法では、ダウンリンクシグナリングはダウンリンク割り当て又はＭＡＣ制御要素である。
【００７５】
上述したように、高周波数帯域を使用するセルはカバレッジ制限を有する。セル内のＵＥは依然として維持されているスモールカバレッジ又は現在のメカニズムのために常にアップリンクタイムアライメントされるかもしれず、ＵＥに対するそのアップリンクタイムはいくつかのシナリオ（３ＧＰＰＴＳ３６．３２１ Ｖ１２．３．０に定義されている）、例えばタイムアライメント終了に対してアライメントされないとみなせる。換言すれば、ＵＬタイミングアドバンスがそのＵＥに依然として必要とされかもしれず、そのセルと関連するタイムアライメントタイマ（３ＧＰＰＴＳ３６．３２１ Ｖ１２．３．０に定義されている）はそのＵＥに必要されるかどうかわからない。
【００７６】
それにもかかわらず、キャパシティレイヤのサービングセル内の一部のアップリンク送信はＵＥの節電のために停止し、その後例えばサービングセル内におけるＤＬデータの到来及び送信のために再開する必要があり得る。特定のアップリンク送信は、以下のシグナリング：周期的リファレンス信号、例えばＳＲＳ（３ＧＰＰＴＳ３６．３２１ Ｖ１２．３．０に定義されている）；周期的チャネル状態報告、例えばＣＱＩ報告（３ＧＰＰＴＳ３６．３２１ Ｖ１２．３．０に定義されている）；及び/又は半永続アップリンク送信、例えば設定されたアップリンクグラントを使用するもの（３ＧＰＰＴＳ３６．３２１ Ｖ１２．３．０に定義されている）：のうちの少なくとも一つを含む。
【００７７】
特定のＵＬ送信の停止は、基地局からのシグナリング、例えばＰＤＣＣＨシグナリング又はＭＡＣ制御要素によって明示的に実行するか、例えばタイマで制御されるＵＥによって非明示的に実行することができる。より具体的には、ＵＥが特定のＵＬ送信を停止するとき、特定のＵＬ送信と関連するＲＲＣ設定は解放されない。
【００７８】
再開のためには、一つのサービングセルを制御する第１の基地局、例えばＳｅＮＢがカバレッジレイヤ内の別のサービングセルを制御する第２の基地局、例えばＭｅＮＢに、ＤＬシグナリング、例えばＰＤＣＣＨ信号Ｇナビゲートリング又はＭＡＣ制御要素を送信するよう要求して、以下の操作：サービングセル内における特定のＵＬ送信の再開；サービングセル内におけるランダムアクセスプリアンブル送信の開始（３ＧＰＰＴＳ３６．３２１ Ｖ１２．３．０に定義されている）、例えばランダムアクセス手順の開始；サービングセル内におけるスケジューリング要求の送信（３ＧＰＰＴＳ３６．３２１ Ｖ１２．３．０に定義されている）；及び/又はサービングセル内における非周期的リファレンス信号、例えば非周期的ＳＲＳ（３ＧＰＰＴＳ３６．３２１ Ｖ１２．３．０に定義されている）の送信：のうちの少なくとも一つを実行することをＵＥに要求する。
【００７９】
より具体的には、ＤＬシグナリングは専用のプリアンブルをランダムアクセス手順で使用するように指示することができる。ＤＬシグナリングはＰＤＣＣＨオーダ（３ＧＰＰＴＳ３６．３２１ Ｖ１２．３．０に定義されている）とすることができる。より具体的には、第２の基地局は第１の基地局からの要求の受信に起因してＤＬシグナリングを送信する。いくつかの例が図９及び図１０に示されている。  
【００８０】
図９において、基地局２（９０６）は送信に利用可能なＤＬデータを有する。要求が基地局２（９０６）により基地局１（９０４）に送られる。基地局１（９０４）はＰＤＣＣＨオーダをＵＥ９０２へ送る。ＵＥ９０２はその後プリアンブル送信を開始し、一以上のプリアンブル送信を基地局２（９０６）へ送る。
【００８１】
図１０において、基地局２（１００６）は送信に利用可能なＤＬデータを有する。要求が基地局２（１００６）により基地局１（１００４）に送られる。基地局１（１００４）は周期的又は非周期的リファレンス信号要求をＵＥ１００２へ送る。ＵＥ１００２はその後リファレンス信号送信を開始し、一以上のリファレンス信号を基地局２（１００６）へ送る。
【００８２】
別の方法として、第１の基地局は、第２の基地局に２以上のＤＬシグナリングを送信するよう要求する２以上の要求を送信することができ、これらのＤＬシグナリングの各々はＵＥに上記の操作のうちの少なくとも一つを実行するよう要求するために使用することができる。一例が図１１に示されている。基地局２（１１０６）は最初に基地局１（１１０４）を介してＵＥ１１０２にリファレンス信号をサービングセル内で送信するよう要求することができる。それゆえ、基地局２（１１０６）はＵＥ１１０２が位置する場所のビームを識別することができる。その後、基地局２（１１０６）は基地局１（１１０４）を介してＵＥ１１０２に、ＵＬタイミングアドバンス（３ＧＰＰＴＳ３６．３２１ Ｖ１２．３．０）に定義されている）を識別するためにランダムアクセスプリアンブル送信を実行するよう要求することができる。
【００８３】
ＵＥのための一つの例示的な方法では、該方法は、前記ＵＥを一つのサービングセルを制御する第１の基地局及び別のサービングセルを制御する第２の基地局を含む少なくとも２つの基地局に接続するステップ、前記一つのサービングセル内における第１の特定のアップリンク送信の停止後に前記別のサービングセル内で第２のダウンリンクシグナリングを受信するステップ、及び前記第２のダウンリンクシグナリングの受信に応答して前記一つのサービングセル内で少なくとも一つのランダムアクセスプリアンブルを送信するステップを含む。
【００８４】
別の例示的実施形態では、前記ＵＥは前記第２のダウンリンクシグナリングの受信に応答して前記一つのサービングセル内で少なくとも一つの第２の特定のアップリンク信号を送信する。
【００８５】
ＵＥのための一つの例示的方法では、該方法は、前記ＵＥを一つのサービングセルを制御する第１の基地局及び別のサービングセルを制御する第２の基地局を含む少なくとも２つの基地局に接続するステップと、前記一つのサービングセル内にける第１の特定のアップリンク送信の停止後に前記別のサービングセル内で第１のダウンリンクシグナリングを受信するステップと、前記第１のダウンリンクシグナリングの受信に応答して前記一つのサービングセル内で少なくとも一つの第２の特定のアップリンク信号を送信するステップと、前記少なくとも一つの第２の特定のアップリンク信号の送信後に前記別のサービングセル内で第２のダウンリンクシグナリングを受信するステップと、前記第２のダウンリンクシグナリングの受信に応答して前記一つのサービングセル内で少なくとも一つのランダムアクセスプリアンブルを送信するステップと、を含む。
【００８６】
他の例示的方法では、ＵＥはタイマ、例えばタイムアライメントタイマ、の終了に起因して前記第１の特定のアップリンク信号の送信を停止する。別の方法では、ＵＥは第１の基地局からの指示の受信に起因して前記第１の特定のアップリンク信号の送信を停止する。更に別の方法では、ＵＥは第２の基地局からの指示の受信に起因して前記第１の特定のアップリンク信号の送信を停止する。
【００８７】
他の例示的方法では、ＵＥは前記第２のダウンリンクシグナリングの受信に応答して前記一つのサービングセル内でランダムアクセス手順を開始する。他の方法では、ＵＥが前記第１のダウンリンクシグナリングの受信に応答して前記一つのサービングセル内で少なくとも一つの第２の特定のアップリンク信号を送信するとき、タイマ、例えばタイムアライメントタイマ、は動作していない。
【００８８】
ＵＥをサービングする第１の基地局のための別の例示的方法では、該方法は、第２の基地局に第２の要求を送信するステップを含み、前記第２の要求は、第１の基地局により制御されるサービングセル内で少なくとも一つのランダムアクセスプリアンブルを送信するよう前記ＵＥに指示するために、第２のダウンリンクシグナリングを前記ＵＥへ送信するよう第２の基地局に要求するものである。別の方法では、第２のダウンリンクシグナリングは前記サービングセル内で少なくとも一つの第２の特定のアップリンク信号も送信するようＵＥに指示する。
【００８９】
ＵＥをサービングする第１の基地局のための別の例示的方法では、該方法は、第２の基地局に第１の要求を送信するステップであって、前記第１の要求は、第１の基地局により制御されるサービングセル内で少なくとも一つの第２の特定のアップリンク信号を送信するよう前記ＵＥに指示するために、第１のダウンリンクシグナリングを前記ＵＥへ送信するよう第２の基地局に要求するものである、ステップと、前記少なくとも一つの第２の特定のアップリンク信号を受信するステップと、前記ＵＥからの前記少なくとも一つの第２の特定のアップリンク信号の受信に応答して第２の要求を第２の基地局へ送信するステップと、を含み、前記第２の要求は、前記サービングセル内で少なくとも一つのランダムアクセスプリアンブルを送信するよう前記ＵＥに指示するために、第２のダウンリンクシグナリングを前記ＵＥへ送信するよう第２の基地局に要求するものである
【００９０】
他の方法では、第１の基地局は、前記ＵＥが位置するサービングセルのビームを少なくとも前記ランダムアクセスプリアンブルの受信に基づいて決定する。他の方法では、第１の基地局は、前記ＵＥが位置するサービングセルのビームを少なくとも前記第２の特定のアップリンク信号の受信に基づいて決定する
【００９１】
他の方法では、第１の基地局は、少なくともサービングセル内のＵＥへ送信すべきデータが存在することに基づいて第１の要求を第２の基地局へ送信する。別の方法では、第１の基地局は、少なくともサービングセル内のＵＥへ送信すべきデータが存在することに基づいて第２の要求を第２の基地局へ送信する。
【００９２】
ＵＥをサービングする第２の基地局のための例示的方法では、該方法は、第１の基地局から第２の要求を受信するステップであって、前記第２の要求は第２のダウンリンクシグナリングを前記ＵＥへ送信するよう第２の基地局に要求するものである、ステップと、前記第２の要求の受信に応答して前記第２のダウンリンクシグナリングを前記ＵＥへ送信して、第１の基地局により制御されるサービングセル内で少なくとも一つのランダムアクセスプリアンブルを送信するよう前記ＵＥに指示するステップと、を含む。
【００９３】
別の方法では、前記第２のダウンリンクシグナリングは、少なくとも一つの特定のアップリンク信号を前記サービングセル内で送信するよう前記ＵＥに指示する。
【００９４】
ＵＥをサービングする第２の基地局のための例示的方法では、該方法は、第１の基地局から第１の要求を受信するステップであって、前記第１の要求は第１のダウンリンクシグナリングを前記ＵＥへ送信するよう第２の基地局に要求するものである、ステップと、前記第１の要求の受信に応答して前記第１のダウンリンクシグナリングを前記ＵＥへ送信して、第１の基地局により制御されるサービングセル内で少なくとも一つの第２の特定のアップリンク信号を送信するよう前記ＵＥに指示するステップと、前記ＵＥへの前記第１のダウンリンクシグナリングの送信後に第１の基地局からの第２の要求を受信する少なくともであって、前記第２の要求は第２のダウンリンクシグナリングを前記ＵＥへ送信するよう第２の基地局に要求するものである、ステップと、前記第２の要求の受信に応答して前記第２のダウンリンクシグナリングを前記ＵＥへ送信して、前記サービングセル内で少なくとも一つのランダムアクセスプリアンブルをするよう前記ＵＥに指示するステップと、を含む。
【００９５】
様々な例示的方法では、前記第２のダウンリンクシグナリングは前記サービングセル内でランダムアクセス手順を開始するよう前記ＵＥに指示する。他の例示的方法では、前記ＵＥは、前記第１の特定のアップリンク信号の送信停止時に、前記第１のアップリンク信号の（ＲＲＣ）設定を維持する。
【００９６】
様々な例示的方法では、前記第１の特定のアップリンク信号は、例えばネットワークから受信される設定に基づいて、周期的へ送信される。
【００９７】
様々な例示的方法では、前記第１の特定のアップリンク信号は、リファレンス信号、ＳＲＳ、ＣＱＩ報告、ＰＭＩ報告、ＲＩ報告、ＰＴＩ報告、又は半永続アップリンク送信である。
【００９８】
様々な例示的方法では、前記第２の特定のアップリンク信号は、前記第１の特定のアップリンク信号、周期的リファレンス信号、又はスケジューリング要求である。
【００９９】
様々な例示的方法では、前記第１のダウンリンクシグナリングは、ＰＤＣＣＨシグナリング、ＭＡＣ制御要素、又はＲＲＣメッセージである。
【０１００】
様々な例示的方法では、前記第２のダウンリンクシグナリングは、ＰＤＣＣＨシグナリング、ＰＲＣＣＨオーダ、ＭＡＣ制御要素、又はＲＲＣメッセージである。
【０１０１】
様々な例示的方法では、第１の基地局はｅＮＢ又はＳｅＮＢである。様々な例示的方法では、第２の基地局はＭｅＮＢである。様々な例示的方法では、サービングセルはＰＳＣｅｌｌ又はＳＣｅｌｌである。様々な例示的方法では、別のサービングセルはＰＣｅｌｌである。
【０１０２】
図３及び図４に戻り説明すると、装置の観点からの一実施形態では、装置３００はメモリ３１０に格納されたプログラムコード３１２を含む。ＣＰＵ３０８はプラグコード３１２を実行して、(i)ユーザ装置を第１のサービングセルを制御する第１の基地局と第２のサービングセルを制御する第２の基地局とを含む少なくとも２つの基地局に接続し、(ii)第２のサービングセル内でダウンリンクシグナリングを受信し、(iii)ダウンリンクシグナリングの受信に応答して第１のサービングセル内でリファレンス信号を送信することができる。更に、ＣＰＵ３０８はプログラムコード３１２を実行して上記の操作及びステップのすべてを実行することができ、またここに記載のその他の操作及びステップを実行することができる。
【０１０３】
図３及び図４に戻り説明すると、第１の基地局の観点からの一実施形態では、第１の基地局３００はメモリ３１０に格納されたプログラムコード３１２を含む。ＣＰＵ３０８はプラグコード３１２を実行して、(i)ＵＥをサービングし、(ii) 要求を第２の基地局へ送信することができ、前記要求は、第１の基地局により制御されるサービングセル内でリファレンス信号を送信するよう前記ＵＥに指示するために、ダウンリンクシグナリングを前記ＵＥへ送信するよう第２の基地局に要求するものである。更に、ＣＰＵ３０８はプログラムコード３１２を実行して上記の操作及びステップのすべてを実行することができ、またここに記載のその他の操作及びステップを実行することができる。
【０１０４】
図３及び図４に戻り説明すると、第２の基地局の観点からの一実施形態では、第１の基地局３００はメモリ３１０に格納されたプログラムコード３１２を含む。ＣＰＵ３０８はプラグコード３１２を実行して、(i)ＵＥをサービングし、(ii)第１の基地局からの要求を受信することができ、前記要求は、ダウンリンクしグランリングをＵＥに送信するよう第２の基地局に要求するものであり、(iii)第１の基地局により制御されるサービングセル内でリファレンス信号を送信するよう前記ＵＥに指示するために、ダウンリンクシグナリングを前記ＵＥへ送信する。更に、ＣＰＵ３０８はプログラムコード３１２を実行して上記の操作及びステップのすべてを実行することができ、またここに記載のその他の操作及びステップを実行することができる。
【０１０５】
本発明の様々な態様を以上で説明した。本開示の教示は様々な形態に具体化することができ、ここに開示されている具体的な構造も機能も単なる例示である。本開示の教示に基づけば、当業者はここに開示される一つの態様を任意の他の態様と独立に実施することができ、またこれらの態様の２つ以上を様々に組み合わせることができることは認識されよう。例えば、装置又は方法はここに開示される態様のうちの任意の数を用いて実装又は実施することができる。更に、このような装置又は方法はここに開示される態様のうちの一つ以上に加えて他の構造、機能又は構造及び機能を用いて実装又は実施することができる。上記の概念の一部の一例として、ある側面では、同時チャネルはパルス繰り返し周波数に基づいて確立することができる。ある側面では、同時チャネルはパルス位置又はオフセットに基づいて確立することができる。ある側面では、同時チャネルはタイムホッピングシーケンスに基づいて確立することができる。ある側面では、同時チャネルはパルス繰り返し周波数、パルス位置又はオフセット、及びタイムホッピングシーケンスに基づいて確立することができる。
【０１０６】
当業者は、情報及び信号は多種多様の技法及び技術のいずれかで表すことができることは理解されよう。例えば、上記の記載を通じて参照されるデータ、命令、コマンド、情報、信号、ビット、シンボル、及びチップは電圧、電流、電磁波、磁場又は粒子、光場又は粒子、又はそれらの任意の組み合わせで表すことができる。
【０１０７】
当業者は更に、ここに開示される態様と関連して記載される様々な例示的な論理ブロック、モジュール、プロセッサ、手段、回路、及びアルゴリズムステップは、電子ハードウェア（例えば、ソースコーディング又は他の技術を用いて設計し得るディジタル実装、アナログ実装、又は両者の組み合わせ）、命令を内蔵する様々な形態のプログラム又は設計コード（ここでは便宜上「ソフトウェア」又は「ソフトウェアモジュール」という）、又は両者の組み合わせとして実装できることは理解されよう。このハードウェアとソフトウェアの互換可能性を明確に説明するために、様々な例示的なコンポーネント、ブロック、モジュール、回路及びステップが以上においてそれらの機能を示す言葉で全体的に説明されている。このような機能がハードウェアとして実装されるのかソフトウェアとして実装されるのかは全体システムに課される特定のアプリケーション及び設計制約により決まる。当業者は記載されている機能を特定のアプリケーションごとに種々の方法で実装することができるが、このような実装決定は本発明の範囲を逸脱するものと解釈すべきではない。
【０１０８】
更に、ここに開示される特徴と関連して記載されている様々な例示的な論理ブロック、モジュール、及び回路は集積回路（ＩＣ）、アクセス端末、又はアクセスポイント内に実装することができ、またそれらによって実装することができる。このＩＣは、ここに記載される機能を実行するように設計された汎用プロセッサ、ディジタル信号プロセッサ（ＤＳＰ）、特定用途向け集積回路（ＡＳＩＣ）、フィールドプログラムゲートアレイ（ＦＰＧＡ）又は他のプログラマブル論理装置、ディスクリートゲート又はトランジスタ論理回路、ディスクリートハードウェアコンポーネント、電気コンポーネント、光学コンポーネント、機械コンポーネント、又はそれらの任意の組み合わせを備え、ＩＣの内部又は外部又はその両方に存在するコード又は命令を実行することができる。汎用プロセッサはマイクロプロセッサとし得るが、代替例ではプログラムは任意の通常のプロセッサ、コントローラ、マイクロコントローラ、又はステートマシンとすることができる。プロセッサは、コンピュータ装置、例えばＤＳＰとマイクロプロセッサの組み合わせ、複数のマイクロプロセッサ、ＤＳＰコアと連動する一以上のマイクロプロセッサ、又は任意のこのような構成として実装することができる。
【０１０９】
開示の任意のプロセスにおけるステップの特定の順序又は序列は例示のための一例に過ぎないことを理解されたい。設計の好みに基づいて、プロセスのステップの順序又は序列は本開示の範囲内において再配列することができることを理解されたい。添付の方法の請求項は様々なステップの要素の例示的な順序を示し、提示の特定の順序又は序列に限定することを意図していない。
【０１１０】
ここに開示される特徴と関連して記載されている方法又はアルゴリズムのステップはハードウェア内で、プロセスで実行されるソフトウェアモジュール内で、又は両者の組み合わせ内で具体化することができる。ソフトウェアモジュール（例えば、実行可能な命令及び関連データを含む）及び他のデータはデータメモリ、例えばＲＡＭメモリ、フラッシュメモリ、ＲＯＭメモリ、ＥＰＲＯＭメモリ、ＥＥＰＲＯＭ、レジスタ、ハードディスク、リムーバブルディスク、ＣＤ−ＲＯＭ、又は当該技術分野で知られている任意の他の形態のコンピュータ可読記憶媒体等、に存在させることができる。サンプル記憶媒体は、例えばコンピュータ／プロセッサ（ここでは便宜上「プロセッサ」と呼ぶことができる）のようなマシンに結合することができ、このようなプロセッサが記憶媒体から情報（例えばコード）を読出し、記憶媒体に情報を書き込むことができる。サンプル記憶媒体はプロセッサと一体にすることができる。プロセッサと記憶媒体はＡＳＩＣ内に存在させることができる。ＡＳＩＣはユーザ装置内に存在させることができる。代替例では、プロセッサ及び記憶媒体はユーザ装置内に個別コンピュータとして存在させることができる。更に、いくつかの態様では、任意の適切なコンピュータプログラム製品は開示の特徴の一以上に関するｋ−度を備えるコンピュータ可読媒体を備えることができる。いくつかの態様では、コンピュータプログラム製品は包装材料を備えることができる。
【０１１１】
本発明は様々な態様と関連して記述されているが、本発明は更なる変更が可能であることは理解されよう。本願は本発明の原理に従う本発明の任意の変形、使用又は改変をカバーすることを意図しており、このような本発明からの逸脱は本発明が属する分野における周知慣用技術の範囲に入る。
【図２】
2016140062.tif 000003
【図３】
2016140062.tif 000004
【図４】
2016140062.tif 000005
【図５】
2016140062.tif 000006
【図６】
2016140062.tif 000007
【図７】
2016140062.tif 000008
【図８】
2016140062.tif 000009
【図９】
2016140062.tif 000010
【図１０】
2016140062.tif 000011
【図１１】
2016140062.tif 000012
【図１】
2016140062.tif 000013
【外国語明細書】
2016140062000001.pdf